(57)【要約】【課題】排水管への尿石付着を確実に防止することができる便器システムを提供する。【解決手段】カウンター１の前面に小便器２が設置され、小便器２の排水が流入する横引き排水管３が設置されている。排水管３の上面部に測距式ドップラセンサ６が設置されている。ドップラセンサ６の検出距離は、尿石が無いときには排水管３の底面までの距離であるが、尿石Ａが付着してくると、この検出距離は尿石の表面（上面）となり、それまでよりも低下する。ドップラセンサ６の検出距離から尿石Ａの付着が検出されたときには、制御回路１４はバルブ１２を所定時間開弁作動させ、排水管３内に薬液を供給し、尿石Ａを化学的に除去する。【選択図】  図１
2004211462.tif 000002
【特許請求の範囲】
【請求項１】
便器と、該便器の排水を流すための排水管と、該排水管内の汚れ検知手段と、該汚れ検知手段の検知結果に基づいて該排水管を浄化する浄化手段とを有する便器システムにおいて、
該汚れ検知手段は、該排水管外に配置され、該排水管内にマイクロ波を投射して該排水管内面の付着物の表面までの距離を検知する測距式ドップラセンサであることを特徴とする便器システム。
【請求項２】
請求項１において、該排水管は横引きされており、前記ドップラセンサは該排水管の上面部分に配置されていることを特徴とする便器システム。
【請求項３】
請求項１又は２において、浄化手段は排水管内に洗浄薬液を供給する手段であることを特徴とする便器システム。
【請求項４】
請求項１又は２において、浄化手段は排水管内に水を噴出する手段であることを特徴とする便器システム。
【発明の詳細な説明】
【０００１】
【発明の属する技術分野】
本発明は、排水管内に汚れが蓄積することを防止するよう構成された便器システムに関するものである。
【０００２】
【従来の技術】
便器からの排水が流通する排水管内においては尿石がこびり付き易い。この尿石は尿中のリン酸イオンに由来するものであるところから、尿石の生成を防止しようとする便器システムとして、特開２００２−２１２９９８号に、排水中の電気伝導度を計測し、この電気伝導度の計測値が所定値以上になった場合に殺菌水を流すものが記載されている。
【０００３】
【特許文献１】
特開２００２−２１２９９８号公報
【０００４】
【発明が解決しようとする課題】
上記特開２００２−２１２９９８号の便器システムは、尿石の堆積それ自体を検知するものではないから、尿石が付着して洗浄が必要になったときに、確実に殺菌水を流すことができるとは限らない。逆に、尿石がそれ程付着していないのに殺菌水が流れてしまうおそれもある。
【０００５】
本発明は、尿石の付着を確実に防止することができる便器システムを提供することを目的とする。
【０００６】
【課題を解決するための手段】
本発明の便器システムは、便器と、該便器の排水を流すための排水管と、該排水管内の汚れ検知手段と、該汚れ検知手段の検知結果に基づいて該排水管を浄化する浄化手段とを有する便器システムにおいて、該汚れ検知手段は該排水管外に配置され、該排水管内にマイクロ波を照射して該排水管内面の付着物の表面までの距離を検知する測距式ドップラセンサであることを特徴とするものである。
【０００７】
かかる便器システムにあっては、排水管内に尿石が付着していない場合には、ドップラセンサの検出距離は排水管内面までの距離である。排水管内面に尿石が付着すると、ドップラセンサの検出距離は尿石表面までとなり、それまでの検出距離よりも小さくなるので、尿石付着が検出される。この尿石付着が検出された場合に浄化手段が作動し、尿石が除去される。
【０００８】
この尿石は横引き排水管に堆積し易いので、本発明はこのように排水管が横引きされている場合に適用するのに好適である。
【０００９】
この浄化手段は、洗浄薬液を供給し、化学的作用によって尿石を除去するものであってもよく、排水管内に水を噴出して付着物を物理的に押し流すものであってもよい。
【００１０】
【発明の実施の形態】
以下、図面を参照して実施の形態について説明する。
【００１１】
図１（ａ）は実施の形態に係る便器システムが適用されたトイレカウンターの正面図、図１（ｂ）は図１（ａ）のＢ−Ｂ線断面図（ただし、排水管部分の断面図）である。図２はこの便器システムの制御ブロック図である。
【００１２】
トイレルームの壁面に沿ってカウンター１が設置され、このカウンター１の前面に小便器２が設置されている。このカウンター１内には、該小便器２の排水が流入する横引き排水管３が設置されている。この排水管３は、パイプスペース４側に向って下り勾配となっており、該パイプスペース４内に縦通された排水本管５に接続されている。
【００１３】
この横引き排水管３の上面部に適宜の間隔をおいて複数個の測距式ドップラセンサ６が設置されている。この実施の形態では、排水管３は塩化ビニルなどの合成樹脂製であり、この排水管３の上面に合成樹脂製の台座７が接着等の取付手段によって固着され、この台座７の上にドップラセンサ６が設置されている。
【００１４】
この測距式ドップラセンサ６は、周波数が僅かに異なる２つのｃｗ（ｃｏｈｅｒｅｎｔ  ｗａｖｅ）波を用いる２周波ｃｗレーダよりなるものである。２周波の周波数差を数十〜数百以上とすることにより１ｍｍ以上の分解能を有したものが本実施の形態では好適である。
【００１５】
排水管３の上流端には、尿石を除去する作用を有した薬液を貯留するための薬液タンク１０が配管１１及びバルブ１２を介して接続されている。
【００１６】
カウンター１には、各小便器２の使用者を検知するための人体検知センサ１３が設置されている。この人体検知センサ１３及び前記ドップラセンサ６の検出信号は制御回路１４に入力されており、この制御回路１４によってバルブ１２及び各小便器２に洗浄水を供給するための便器洗浄弁１５が制御される。
【００１７】
このように構成された便器システムにおいて、小便器２の排水は排水管３を介して排水本管５へ排出される。また、小便器２の使用後には便器洗浄弁１５が開弁し、小便器２に洗浄水が供給される。なお、小便器２の使用者が検知されたときに小便器２を予備洗浄してもよい。
【００１８】
小便器２の使用に伴って、排水管３の内面に少しずつ尿石が付着してくる。ドップラセンサ６の検出距離は、尿石が無いときには排水管３の底面までの距離であるが、尿石Ａが付着してくると、この検出距離は尿石の表面（上面）となり、それまでよりも低下する。なお、排水管３内を排水が流れると、ドップラセンサ６の検出距離は水面までの距離となるので、人体検知センサ１３が人体を検知しているとき及び便器洗浄弁１５が給水動作した後の所定時間内はドップラセンサ６の検出信号はキャンセルされる。
【００１９】
ドップラセンサ６の検出距離から尿石Ａの付着が検出されたときには、制御回路１４はバルブ１２を所定時間開弁作動させ、排水管３内に薬液を供給し、尿石Ａを化学的に除去する。なお、バルブ１２を開弁させて薬液を流した後、所要時間経過後に便器洗浄弁１５を開弁させ、排水管３内に水を流すようにしてもよい。
【００２０】
上記実施の形態では尿石Ａを薬液によって化学的に除去しているが、排水管３内に水を噴出することにより尿石Ａを物理的に押し流すようにしてもよい。
【００２１】
図３はそのための設備の一例を示すものであり、水道給水管１７から水が逆止弁１８、給水弁１９を介して蓄圧タンク２０内に下部から導入される。この蓄圧タンク２０は、内部に空気が密封されている。そのため、この空気圧が水道給水元圧と等しくなるまで水が給水管１７から徐々に流入する。この蓄圧タンク２０内の蓄圧水は、放水管２１のバルブ２２を開弁することにより、該放水管２１を介して排水管３へ噴出する。なお、放水管２１の先端にノズルを設け、水を排水管３内に噴出させてもよい。
【００２２】
上記実施の形態はいずれも本発明の一例であり、本発明は図示以外の形態をもとりうる。例えば、便器は洋風便器や和風便器などであってもよい。便器やドップラセンサの数は図示以外としてもよい。本発明は縦引きされた排水管の尿石付着防止に適用されてもよい。
【００２３】
【発明の効果】
以上の通り、本発明によると排水管への尿石付着を確実に防止することができる。
【図面の簡単な説明】
【図１】図１（ａ）は実施の形態に係る便器システムが適用されたトイレカウンターの正面図、図１（ｂ）は図１（ａ）のＢ−Ｂ線断面図（ただし、排水管部分の断面図）である。
【図２】この便器システムの制御ブロック図である。
【図３】別の実施の形態に用いられる水噴出機構の説明図である。
【符号の説明】
１  カウンター
２  小便器
３  排水管
６  ドップラセンサ
１０  薬液タンク
１２  バルブ
２０  蓄圧タンク
【図１】
2004211462.tif 000003
【図２】
2004211462.tif 000004
【図３】
2004211462.tif 000005